(57)【要約】      （修正有）【課題】高品位な画像表示を行う電気光学装置の駆動方法を提供する。【解決手段】電気光学装置で１枚のフレーム画像は２枚のラインペア画像と２枚のずらしラインペア画像とを含む。ラインペア画像は、走査線で隣り合う２本の走査線の組みをラインペアとして選択されて形成され、ずらしラインペア画像は、ラインペアとは異なる隣り合う２本の走査線の組みをずらしラインペアとして選択されて形成される。【選択図】図７
2014092603.tif 000002
【特許請求の範囲】
【請求項１】
画素電極と共通電極とを有する画素と、前記画素を行方向に選択又は非選択する信号を伝える走査線と、が表示領域に配置された電気光学装置に対して、
１枚のフレーム画像は２枚のラインペア画像と２枚のずらしラインペア画像とを含み、
前記ラインペア画像は、前記走査線で隣り合う２本の走査線の組みをラインペアとして、ラインペア毎に選択されるラインペア走査を用いて形成され、
前記ずらしラインペア画像は、前記走査線で隣り合う２本の走査線で有って、前記ラインペアとは異なる走査線の組みをずらしラインペアとして、ずらしラインペア毎に選択されるずらしラインペア走査を用いて形成される事を特徴とする電気光学装置の駆動方法。
【請求項２】
前記２枚のずらしラインペア画像は前記２枚のラインペア画像に引き続いて形成される事を特徴とする請求項１に記載の電気光学装置の駆動方法。
【請求項３】
前記画素電極の電位を前記共通電極の電位以上とする状態を正極性とし、前記画素電極の電位を前記共通電極の電位以下とする状態を負極性とし、
前記２枚のラインペア画像の１枚は前記正極性にて表示される正極性ラインペア画像であり、前記２枚のラインペア画像の他の１枚は前記負極性にて表示される負極性ラインペア画像であり、
前記２枚のずらしラインペア画像の１枚は前記正極性にて表示される正極性ずらしラインペア画像であり、前記２枚のずらしラインペア画像の他の１枚は前記負極性にて表示される負極性ずらしラインペア画像である事を特徴とする請求項１又は２に記載の電気光学装置の駆動方法。
【請求項４】
前記１枚のフレーム画像は、正極性ラインペア画像に引き続き、負極性ラインペア画像、正極性ずらしラインペア画像、負極性ずらしラインペア画像、の順に形成される事を特徴とする請求項３に記載の電気光学装置の駆動方法。
【請求項５】
前記１枚のフレーム画像は、正極性ラインペア画像に引き続き、負極性ラインペア画像、負極性ずらしラインペア画像、正極性ずらしラインペア画像、の順に形成される事を特徴とする請求項３に記載の電気光学装置の駆動方法。
【請求項６】
前記１枚のフレーム画像は、負極性ラインペア画像に引き続き、正極性ラインペア画像、正極性ずらしラインペア画像、負極性ずらしラインペア画像、の順に形成される事を特徴とする請求項３に記載の電気光学装置の駆動方法。
【請求項７】
前記１枚のフレーム画像は、負極性ラインペア画像に引き続き、正極性ラインペア画像、負極性ずらしラインペア画像、正極性ずらしラインペア画像、の順に形成される事を特徴とする請求項３に記載の電気光学装置の駆動方法。
【請求項８】
前記ラインペア画像は、前記フレーム画像の奇数行の画像信号を用いて形成された画像（奇数画像）か、前記フレーム画像の偶数行の画像信号を用いて形成された画像（偶数画像）か、のどちらかであり、
前記ずらしラインペア画像は、前記ラインペア画像が前記奇数画像の際には前記偶数画像であり、前記ラインペア画像が前記偶数画像の際には前記奇数画像である事を特徴とする請求項１乃至７のいずれか一項に記載の電気光学装置の駆動方法。
【請求項９】
第１の行に配置された第１の画素を選択する第１の走査線と、
前記第１の行に隣り合う第２の行に配置された第２の画素を選択する第２の走査線と、
前記第２の行に隣り合う第３の行に配置された第３の画素を選択する第３の走査線と、
前記第３の行に隣り合う第４の行に配置された第４の画素を選択する第４の走査線と、
前記第４の行に隣り合う第５の行に配置された第５の画素を選択する第５の走査線と、
前記第１の画素、第２の画素、第３の画素、第４の画素および第５の画素に画像信号を供給する信号線と、を備えた電気光学装置の駆動方法であって、
１フレームを構成する画像は、第１の画像、第２の画像、第３の画像及び第４の画像を含み、
前記第１の画像は、
第１の走査で、前記第１の走査線と前記第２の走査線とを選択して、前記第１の画素と前記第２の画素に、前記第１の画素に対応する第１の画像信号を第１の極性で供給し、
前記第１の走査に続く第２の走査で、前記第３の走査線と前記第４の走査線とを選択して、前記第３の画素と前記第４の画素に、前記第３の画素に対応する第３の画像信号を前記第１の極性で供給する事で形成され、
前記第２の画像は、
第３の走査で、前記第１の走査線と前記第２の走査線とを選択して、前記第１の画素と前記第２の画素に、前記第１の画素に対応する第１の画像信号を前記第１の極性とは異なる第２の極性で供給し、
前記第３の走査に続く第４の走査で、前記第３の走査線と前記第４の走査線とを選択して、前記第３の画素と前記第４の画素に、前記第３の画素に対応する第３の画像信号を前記第２の極性で供給する事で形成され、
前記第３の画像は、
前記第５の走査で、前記第２の走査線と前記第３の走査線とを選択して、前記第２の画素と前記第３の画素に、前記第２の画素に対応する第２の画像信号を第１の極性で供給し、
前記第５の走査に続く第６の走査で、前記第４の走査線と前記第５の走査線とを選択して、前記第４の画素と前記第５の画素に、前記第４の画素に対応する画像信号を前記第１の極性で供給する事で形成され、
前記第４の画像は、
前記第７の走査で、前記第２の走査線と前記第３の走査線とを選択して、前記第２の画素と前記第３の画素に、前記第２の画素に対応する第２の画像信号を第２の極性で供給し、
前記第７の走査に続く第８の走査で、前記第４の走査線と前記第５の走査線とを選択して、前記第４の画素と前記第５の画素に、前記第４の画素に対応する画像信号を前記第２の極性で供給する事で形成されることを特徴とする電気光学装置の駆動方法。
【請求項１０】
電気光学装置に信号を供給し、
請求項１乃至９のいずれか一項に記載の電気光学装置の駆動方法を実現する事を特徴とする駆動装置。
【請求項１１】
請求項１乃至９のいずれか一項に記載の電気光学装置の駆動方法により駆動される事を特徴とする電気光学装置。
【請求項１２】
請求項１１に記載の電気光学装置を有する事を特徴とする電子機器。
【発明の詳細な説明】
【技術分野】
【０００１】
本発明は、電気光学装置の駆動方法、駆動装置、電気光学装置、及び電子機器に関する。
【背景技術】
【０００２】
表示機能が付いた電子機器では、透過型電気光学装置や反射型電気光学装置が使用されている。これらの電気光学装置に光が照射され、電気光学装置により変調された透過光や反射光が表示画像となったり、或いはスクリーンに投影されて投射画像となったりしている。この様な電子機器に使用される電気光学装置としては液晶装置が知られており、これは液晶の誘電異方性と液晶層における光の旋光性とを利用して画像を形成する物である。液晶装置では、画像表示領域に走査線と信号線とが配置されて、これらの交点に画素が行列状に配置されている。画素には画素トランジスターが設けられ、画素トランジスターを介して各画素に画像信号を供給する事で画像が形成される。
【０００３】
表示機能が付いた電子機器で立体映像（三次元映像）や表示品質の高い映像を得るには、液晶装置は高精細な画像を高速で表示する必要性がある。こうした高精細画像の高速表示の方法は、例えば特許文献１に記載されている。特許文献１では、走査線を二本ずつ選択して解像度の低い低解像度画像を表示した後に、走査線を一本ずつ選択して解像度の高い高解像度画像を表示している。
【先行技術文献】
【特許文献】
【０００４】
【特許文献１】特開２０１２−４９６４５号公報
【発明の概要】
【発明が解決しようとする課題】
【０００５】
しかしながら、特許文献１に記載されている表示方法では、液晶の極性バランスを取り難いという課題があった。液晶は、それに印加される電界を規則的に反転させて、極性バランスを取らないと、画像の焼き付けと云った様な劣化現象を引き起こす。この劣化現象を避ける為に、フレーム単位で液晶に印加される電界を反転させる駆動方法（フレーム反転駆動）等が知られている。特許文献１に記載されている表示方法にこの様なフレーム反転駆動等を適応しても、フレーム毎に画像が異なる為に、極性バランスを取り難い状況にあった。換言すると、従来の電気光学装置の駆動方法では、高精細画像の高速表示（高品位の映像）と液晶の極性バランスを取る（液晶の劣化防止）とを両立し難いという課題があった。
【課題を解決するための手段】
【０００６】
本発明は、前述の課題の少なくとも一部を解決する為になされたものであり、以下の形態又は適用例として実現する事が可能である。
【０００７】
（適用例１）  本適用例に係わる電気光学装置の駆動方法は、画素電極と共通電極とを有する画素と、画素を行方向に選択又は非選択する信号を伝える走査線と、が表示領域に配置された電気光学装置に対して、１枚のフレーム画像は２枚のラインペア画像と２枚のずらしラインペア画像とを含み、ラインペア画像は、走査線で隣り合う２本の走査線の組みをラインペアとして、ラインペア毎に選択されるラインペア走査を用いて形成され、ずらしラインペア画像は、走査線で隣り合う２本の走査線で有って、ラインペアとは異なる走査線の組みをずらしラインペアとして、ずらしラインペア毎に選択されるずらしラインペア走査を用いて形成される事を特徴とする。
ラインペア画像もずらしラインペア画像も高速に表示される事ができ、更にこれら二種類の画像を重ねてフレーム画像とするので、この方法によれば、高精細画像を高速にする表示する事ができる。更にラインペア画像が表示されている面積にラインペア画像が表示されている時間を掛けたラインペア画像の面積時間が、ずらしラインペア画像が表示されている面積にずらしラインペア画像が表示されている時間を掛けたずらしラインペア画像の面積時間に等しいので、ラインペア画像とずらしラインペア画像とが観察者に及ぼす画像強度が等しくなり、観察者は本来のフレーム画像と同じ画像を感ずる事ができる。又、２枚のラインペア画像で液晶等の電気光学材料に印加される電界の極性を反転させ、２枚のずらしラインペア画像で液晶等の電気光学材料に印加される電界の極性を反転させると、それぞれ同じ画像にて極性反転が為されるので、ほぼ完璧に極性バランスを取る事ができる。換言すれば、高品位の映像を表示すると共に液晶等の電気光学材料の劣化を抑制する事ができる。
【０００８】
（適用例２）  上記適用例に係わる電気光学装置の駆動方法において、２枚のずらしラインペア画像は２枚のラインペア画像に引き続いて形成される事が好ましい。
この方法によれば、高品位の映像を表示すると共に液晶等の電気光学材料の劣化を抑制する事ができる。
【０００９】
（適用例３）  上記適用例に係わる電気光学装置の駆動方法において、画素電極の電位を共通電極の電位以上とする状態を正極性とし、画素電極の電位を共通電極の電位以下とする状態を負極性とし、２枚のラインペア画像の１枚は正極性にて表示される正極性ラインペア画像であり、２枚のラインペア画像の他の１枚は負極性にて表示される負極性ラインペア画像であり、２枚のずらしラインペア画像の１枚は正極性にて表示される正極性ずらしラインペア画像であり、２枚のずらしラインペア画像の他の１枚は負極性にて表示される負極性ずらしラインペア画像である事が好ましい。
ラインペア画像もずらしラインペア画像も高速に表示される事ができ、更にこれら二種類の画像を重ねてフレーム画像とするので、この方法によれば、高精細画像を高速にする表示する事ができる。又、２枚のラインペア画像で液晶等の電気光学材料に印加される電界の極性を反転させ、２枚のずらしラインペア画像で液晶等の電気光学材料に印加される電界の極性を反転させているので、ほぼ完璧に極性バランスを取る事ができる。換言すれば、高品位の映像を表示すると共に液晶等の電気光学材料の劣化を抑制する事ができる。
【００１０】
（適用例４）  上記適用例に係わる電気光学装置の駆動方法において、１枚のフレーム画像は、正極性ラインペア画像に引き続き、負極性ラインペア画像、正極性ずらしラインペア画像、負極性ずらしラインペア画像、の順に形成される事が好ましい。
この方法によれば、高品位の映像を表示すると共に液晶等の電気光学材料の劣化を抑制する事ができる。
【００１１】
（適用例５）  上記適用例に係わる電気光学装置の駆動方法において、１枚のフレーム画像は、正極性ラインペア画像に引き続き、負極性ラインペア画像、負極性ずらしラインペア画像、正極性ずらしラインペア画像、の順に形成される事が好ましい。
この方法によれば、高品位の映像を表示すると共に液晶等の電気光学材料の劣化を抑制する事ができる。
【００１２】
（適用例６）  上記適用例に係わる電気光学装置の駆動方法において、１枚のフレーム画像は、負極性ラインペア画像に引き続き、正極性ラインペア画像、正極性ずらしラインペア画像、負極性ずらしラインペア画像、の順に形成される事が好ましい。
この方法によれば、高品位の映像を表示すると共に液晶等の電気光学材料の劣化を抑制する事ができる。
【００１３】
（適用例７）  上記適用例に係わる電気光学装置の駆動方法において、１枚のフレーム画像は、負極性ラインペア画像に引き続き、正極性ラインペア画像、負極性ずらしラインペア画像、正極性ずらしラインペア画像、の順に形成される事が好ましい。
この方法によれば、高品位の映像を表示すると共に液晶等の電気光学材料の劣化を抑制する事ができる。
【００１４】
（適用例８）  上記適用例に係わる電気光学装置の駆動方法において、ラインペア画像は、フレーム画像の奇数行の画像信号を用いて形成された画像（奇数画像）か、フレーム画像の偶数行の画像信号を用いて形成された画像（偶数画像）か、のどちらかであり、ずらしラインペア画像は、ラインペア画像が奇数画像の際には偶数画像であり、ラインペア画像が偶数画像の際には奇数画像である事が好ましい。
この構成によれば、奇数画像と偶数画像とを時分割で表示するので、観察者は、高精細なフレーム画像を正確に感ずる事ができる。
【００１５】
（適用例９）  本適用例に係わる電気光学装置の駆動方法は、第１の行に配置された第１の画素を選択する第１の走査線と、第１の行に隣り合う第２の行に配置された第２の画素を選択する第２の走査線と、第２の行に隣り合う第３の行に配置された第３の画素を選択する第３の走査線と、第３の行に隣り合う第４の行に配置された第４の画素を選択する第４の走査線と、第４の行に隣り合う第５の行に配置された第５の画素を選択する第５の走査線と、第１の画素、第２の画素、第３の画素、第４の画素および第５の画素に画像信号を供給する信号線と、を備えた電気光学装置の駆動方法であって、１フレームを構成する画像は、第１の画像、第２の画像、第３の画像及び第４の画像を含み、第１の画像は、第１の走査で、第１の走査線と第２の走査線とを選択して、第１の画素と第２の画素に、第１の画素に対応する第１の画像信号を第１の極性で供給し、第１の走査に続く第２の走査で、第３の走査線と第４の走査線とを選択して、第３の画素と第４の画素に、第３の画素に対応する第３の画像信号を第１の極性で供給する事で形成され、第２の画像は、第３の走査で、第１の走査線と第２の走査線とを選択して、第１の画素と第２の画素に、第１の画素に対応する第１の画像信号を第１の極性とは異なる第２の極性で供給し、第３の走査に続く第４の走査で、第３の走査線と第４の走査線とを選択して、第３の画素と第４の画素に、第３の画素に対応する第３の画像信号を第２の極性で供給する事で形成され、第３の画像は、第５の走査で、第２の走査線と第３の走査線とを選択して、第２の画素と第３の画素に、第２の画素に対応する第２の画像信号を第１の極性で供給し、第５の走査に続く第６の走査で、第４の走査線と第５の走査線とを選択して、第４の画素と第５の画素に、第４の画素に対応する画像信号を第１の極性で供給する事で形成され、第４の画像は、第７の走査で、第２の走査線と第３の走査線とを選択して、第２の画素と第３の画素に、第２の画素に対応する第２の画像信号を第２の極性で供給し、第７の走査に続く第８の走査で、第４の走査線と第５の走査線とを選択して、第４の画素と第５の画素に、第４の画素に対応する画像信号を第２の極性で供給する事で形成されることを特徴とする。
この方法によれば、高品位の映像を表示すると共に液晶等の電気光学材料の劣化を抑制する事ができる。
【００１６】
（適用例１０）  本適用例に係わる駆動装置は、電気光学装置に信号を供給し、適用例１乃至９のいずれか一項に記載の電気光学装置の駆動方法を実現する事を特徴とする。
この構成によれば、高品位の映像を表示すると共に液晶等の電気光学材料の劣化を抑制する信号を電気光学装置に供給する事ができる。
【００１７】
（適用例１１）  本適用例に係わる電気光学装置は、適用例１乃至９のいずれか一項に記載の電気光学装置の駆動方法により駆動される事を特徴とする。
この構成によれば、高品位の映像を表示すると共に液晶等の電気光学材料の劣化を抑制する電気光学装置を実現できる。
【００１８】
（適用例１２）  本適用例に係わる電子機器は、適用例１１に記載の電気光学装置を有する事を特徴とする。
この構成によれば、高品位の映像を表示すると共に液晶等の電気光学材料の劣化を抑制する電子機器を実現できる。
【図面の簡単な説明】
【００１９】
【図１】電子機器の一例である投射型表示装置（３板式のプロジェクター）の模式図。
【図２】電子機器の回路構成図。
【図３】各画素の回路図。
【図４】走査線駆動回路の回路構成図。
【図５】ラインペア画像を形成する際に、電気光学装置に供給される各種の信号と表示画像とを説明する図。
【図６】ずらしラインペア画像を形成する際に、電気光学装置に供給される各種の信号と表示画像とを説明する図。
【図７】フレーム画像とこのフレーム画像を用いて電子機器にて三次元画像を表示する方法を説明する図。
【図８】表示方法に関する実施例を説明する図。
【図９】ラインペア画像として偶数画像を採用した際に、走査線に接続する画素に供給される信号の種類を説明する図。
【図１０】ずらしラインペア画像として奇数画像を採用した際に、走査線に接続する画素に供給される信号の種類を説明する図。
【図１１】表示方法に関する実施例を説明する図。
【発明を実施するための形態】
【００２０】
以下、本発明の実施形態について、図面を参照して説明する。尚、以下の各図においては、各層や各部材を認識可能な程度の大きさにするため、各層や各部材の尺度を実際とは異ならせしめている。
【００２１】
（実施形態１）
「電子機器の概要」
図１は、電子機器の一例である投射型表示装置（３板式のプロジェクター）の模式図である。以下、図１を参照して電子機器の構成を説明する。
【００２２】
電子機器（投射型表示装置１０００）は、３枚の電気光学装置２０（図２参照、以下、第一パネル２０１、第二パネル２０２、第三パネル２０３と略称する）と、これら電気光学装置２０に制御信号を供給する制御装置３０と、を少なくとも有している。第一パネル２０１と第二パネル２０２と第三パネル２０３とは、相異なる表示色（赤色や緑色、青色）に対応する３個の電気光学装置２０である。以下、特に第一パネル２０１と第二パネル２０２と第三パネル２０３とを区別する必要がなければ、これらを纏めて単に電気光学装置２０と称する。
【００２３】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２０は、照明光学系１１００から供給される各色光を表示画像に応じて変調する光変調器（ライトバルブ）として機能する。投射光学系１３００は、各電気光学装置２０からの出射光を合成して投射面１４００に投射する。
【００２４】
「電子機器の回路構成」
図２は、電子機器の回路構成図である。次に、図２を参照して電子機器の回路構成を説明する。
【００２５】
本実施形態に係わる電子機器は、観察者に立体感を知覚させる立体視画像をフレームシーケンシャル方式で表示する事ができる。図２に示す様に、電子機器は立体視用眼鏡１０と電気光学装置２０と駆動装置５０とを少なくとも具備する。電子機器は、この他に立体視用眼鏡１０を制御する眼鏡制御回路３１を含んでいる。
【００２６】
立体視用眼鏡１０は、電気光学装置２０が表示する立体視画像の視認時に観察者が装着する眼鏡型の器具であり、観察者の右眼の前方に位置する右眼用シャッター１２と左眼の前方に位置する左眼用シャッター１４とを含んで構成される。右眼用シャッター１２及び左眼用シャッター１４の各々は、照射光を透過させる開状態と照射光を遮断する閉状態とに制御される。例えば印加電圧に応じた液晶の配向方向に応じて開状態及び閉状態の一方から他方に変化する液晶シャッターが右眼用シャッター１２及び左眼用シャッター１４として採用され得る。
【００２７】
電気光学装置２０は、複数の画素４８が配列された表示領域４２を備えている。表示領域４２には、相交差する走査線４６２と信号線４６４とが形成される。走査線４６２は行方向に延在しており、信号線４６４は列方向に延在している。尚、走査線４６２の内でｉ行目の走査線４６２を特定する際には、走査線Ｇｉと表記する。各画素４８は、走査線４６２と信号線４６４との各交差に対応して行列状に配列される。電気光学装置２０では、ｍ本の走査線４６２とｎ本の信号線４６４とを含む表示領域４２（ｍは３以上の整数、ｎは１以上の整数）が形成されている。
【００２８】
電気光学装置２０は駆動装置５０によって駆動される。駆動装置５０は、各画素４８を駆動する駆動回路４４と、駆動回路４４に制御信号を供給する表示制御回路３２と、フレーム画像を一時的に記憶する記憶回路３３と、を含んで構成される。後述する様に、１枚のフレーム画像は２枚のラインペア画像と２枚のずらしラインペア画像とを含んでいるので、記憶回路３３に記憶されたフレーム画像から、表示制御回路３２はラインペア画像やずらしラインペア画像となる制御信号を作製し、これを駆動回路４４に供給する。駆動回路４４は走査線駆動回路４４１と信号線駆動回路４４３とを含んで構成される。走査線駆動回路４４１は画素を行方向に選択又は非選択する走査信号を各走査線４６２に出力し、走査線４６２はこの走査信号を画素４８に伝える。この様に、走査線４６２は、走査線駆動回路４４１により、順次選択され得る。信号線駆動回路４４３は、走査線４６２の選択に同期してｎ本の信号線４６４の各々に画像信号Ｖｉｊを供給するここで、ｉは１からｍ迄の整数で、ｊは１からｎまでの整数である。ｉ行ｊ列に位置する画素４８には画像信号Ｖｉｊが供給される。
【００２９】
この様に電気光学装置２０は、第１の行に配置された第１の画素を選択する第１の走査線と、第１の行に隣り合う第２の行に配置された第２の画素を選択する第２の走査線と、第２の行に隣り合う第３の行に配置された第３の画素を選択する第３の走査線と、第３の行に隣り合う第４の行に配置された第４の画素を選択する第４の走査線と、第４の行に隣り合う第５の行に配置された第５の画素を選択する第５の走査線と、第１の画素、第２の画素、第３の画素、第４の画素及び第５の画素に画像信号を供給する信号線とを備えている。例えば、第１の走査線が５行目の走査線Ｇ５であれば、第２の走査線は６行目の走査線Ｇ６となり、第３の走査線は７行目の走査線Ｇ７となり、第４の走査線は８行目の走査線Ｇ８となり、第５の走査線は９行目の走査線Ｇ９となる。この例の場合、第１の画素は５行ｊ列（ｊは１からｎまでの整数）に位置するｎ個の画素となり、第２の画素は６行ｊ列に位置するｎ個の画素となり、第３の画素は７行ｊ列に位置するｎ個の画素となり、第４の画素は８行ｊ列に位置するｎ個の画素となり、第５の画素は９行ｊ列に位置するｎ個の画素となる。第１の走査線には、１行目の走査線Ｇ１からｍ−４行目の走査線Ｇｍ−４までの内から、任意の１本の走査線４６２を定める事ができる。
【００３０】
尚、本実施形態では電気光学装置２０は不図示のガラス基板を用いて形成され、駆動回路４４はこのガラス基板に薄膜トランジスター等の薄膜素子を用いて形成されている。又、眼鏡制御回路３１と表示制御回路３２と記憶回路３３とが、制御装置３０となっている。この構成以外にも、電気光学装置２０がガラス基板を用いて形成され、駆動回路４４は単結晶半導体基板に形成される集積回路としても良いし、電気光学装置２０も駆動回路４４も単結晶半導体基板に形成される構成としても良い。又、眼鏡制御回路３１と表示制御回路３２と記憶回路３３とを単体の集積回路に搭載した構成や、或いは、これらの回路の二つを単体の集積回路に搭載した構成や、表示制御回路３２と眼鏡制御回路３１と記憶回路３３とを別体の集積回路に分散した構成が採用され得る。
【００３１】
「画素の構成」
図３は、各画素の回路図である。次に、図３を参照して画素４８の構成を説明する。
【００３２】
本実施形態の電気光学装置２０は液晶装置であり、電気光学材料は液晶４８５となる。図３に示す様に、各画素４８は、液晶素子ＣＬと選択スイッチ４８７とを含んで構成される。液晶素子ＣＬは、相対向する画素電極４８１と共通電極４８３とを有し、これら両電極間に電気光学材料の液晶４８５が配置された電気光学素子である。画素電極４８１と共通電極４８３との間に印加される電界に応じて液晶４８５を通過する光の透過率が変化する。
【００３３】
選択スイッチ４８７は、走査線４６２にゲートが接続されたＮチャネル型の薄膜トランジスターで構成され、液晶素子ＣＬと信号線４６４との間に介在して両者の電気的な接続（導通／非導通）を制御する。従って、画素４８（液晶素子ＣＬ）は、選択スイッチ４８７がオン状態に制御されたときの信号線４６４の電位（画像信号Ｖｉｊ）に応じた階調を表示する。尚、液晶素子ＣＬに対して並列に接続される補助容量等の図示は省略されている。
【００３４】
「走査線駆動回路」
図４は、走査線駆動回路の回路構成図である。次に、図４を参照して走査線駆動回路４４１の構成を説明する。
【００３５】
走査線駆動回路４４１は、ｍ本の走査線４６２から１本の走査線４６２を１本毎に選択する順次走査を実行すると共に、ｍ本の走査線４６２から隣り合う２本の走査線４６２の組みをラインペアとしてラインペア毎に選択するラインペア走査を実行でき、又、ｍ本の走査線４６２から隣り合う２本の走査線４６２で、ラインペアとは組み合わされる走査線４６２が一本ずれて異なる走査線４６２の組みをずらしラインペアとして、ずらしラインペア毎に選択するずらしラインペア走査を実行でき、更に、ｍ本の走査線４６２から１本の走査線４６２を２本毎に選択する飛び越し走査をも、実行する回路を含んでいる。
【００３６】
順次走査とは、走査線４６２を１本ずつ順に選択する走査方法で、例えば、Ｇ１、Ｇ２、Ｇ３、と一本ずつ順番に選択して行く。ラインペア走査とは、例えば、Ｇ１とＧ２とのラインペア、Ｇ３とＧ４とのラインペア、Ｇ５とＧ６とのラインペア、と２ｓ−１行の走査線４６２と２ｓ行の走査線４６２とをペアにして順次選択して行く（ｓは１からｍ／２迄の整数）。ずらしラインペア走査とは、例えば、Ｇ２とＧ３とのラインペア、Ｇ４とＧ５とのラインペア、Ｇ６とＧ７とのラインペア、と２ｔ行の走査線４６２と２ｔ＋１行の走査線４６２とをペアにして順次選択して行く（ｔは１からｍ／２−１迄の整数）。飛び越し走査とは、走査線４６２を１本おきに飛び越して、順に選択する走査方法で、例えば、Ｇ２、Ｇ４、Ｇ６、と選択して行く。
【００３７】
制御装置３０から駆動回路４４に供給される制御信号は、走査線駆動回路４４１に供給されるスタートパルス信号ＤＹと、走査線駆動回路４４１に供給されるクロック信号ＣＬＹと、走査線駆動回路４４１に供給されるイネイブル信号と、を含んでいる。イネイブル信号には、イネイブル１信号ＥＮＢＹ１と、イネイブル２信号ＥＮＢＹ２と、イネイブル３信号ＥＮＢＹ３と、イネイブル４信号ＥＮＢＹ４と、の４種類がある。
【００３８】
図４は、上述の様々な走査方法を可能とする回路構成の一例を示している。走査線駆動回路４４１は、信号生成回路１００と、走査線４６２の本数に相当するｍ個の第二ＡＮＤ回路１３０とを具備する。信号生成回路１００は、ｍ段のシフトレジスター１１０とｍ個の第一ＡＮＤ回路１２０とを具備する。シフトレジスター１１０には表示制御回路３２からスタートパルス信号ＤＹやクロック信号ＣＬＹ等が供給される。
【００３９】
シフトレジスター１１０は、クロック信号ＣＬＹに同期してスタートパルス信号ＤＹを順次に転送する事で転送パルスＱ１、Ｑ２、・・・、Ｑｍを出力する。第ｉ番目（ｉ＝１〜ｍ）の第一ＡＮＤ回路１２０は、前段の転送パルスＱｉ−１（第１番目の第一ＡＮＤ回路１２０においてはスタートパルス信号ＤＹ）と自段の転送パルスＱｉとの論理積を制御パルスＲｉとして出力する。即ち、信号生成回路１００は、供給されたスタートパルス信号ＤＹとクロック信号ＣＬＹとに基づいて、ｍ系統の制御パルスＲ１、Ｒ２、・・・、Ｒｍを順次に出力する。第ｉ番目の第二ＡＮＤ回路１３０は、信号生成回路１００から出力された制御パルスＲｉと、表示制御回路３２から供給されるイネイブルｐ信号ＥＮＢＹｐ（ｐは１から４の整数の内のいずれか一つ）との論理積を、走査信号として第ｉ行の走査線Ｇｉに出力する。相隣接する４個を単位としてｍ個の第二ＡＮＤ回路１３０を複数（ｍ／４個）の集合に区分した場合、各集合における第ｐ番目（ｐ＝１〜４）の第二ＡＮＤ回路１３０にイネイブルｐ信号ＥＮＢＹｐが供給される。こうした回路構成を為す事で、順次走査やラインペア走査、ずらしラインペア走査、飛び越し走査などを行う事ができる。
【００４０】
「ラインペア画像とずらしラインペア画像」
図５は、ラインペア画像を形成する際に、電気光学装置に供給される各種の信号と表示画像とを説明する図である。又、図６は、ずらしラインペア画像を形成する際に、電気光学装置に供給される各種の信号と表示画像とを説明する図である。次に、図５と６とを参照して、ラインペア走査を用いてラインペア画像を形成する方法と、ずらしラインペア走査を用いてずらしラインペア画像を形成する方法とを説明する。
【００４１】
図５（ａ）は、ラインペア走査を用いてラインペア画像を形成する際のタイミングチャートであり、図５（ｂ）はその際に走査線４６２に接続する画素４８に供給される信号の種類を説明している。
【００４２】
図５（ｂ）は、ラインペア走査を用いて電気光学装置２０に奇数画像を表示する際に、各行毎に信号線４６４に供給される画像信号を表している。ここでは、ラインペア画像は奇数画像となる。奇数画像とは、元になる１フレームの画像（フレーム画像と称する、本実施形態では、縦１０８０画素×横１９２０画素のフルハイビジョン画像）の内から、奇数行の画像信号を用いて形成された画像である。言い換えると、フレーム画像から奇数行で表示されている画像を選び出した画像が、奇数画像である。本実施形態では、１フレーム画像の縦方向に１０８０画素あるので、フレーム画像の１行目の画像信号Ｖ１ｊや、フレーム画像の３行目の画像信号Ｖ３ｊや、フレーム画像の５行目の画像信号Ｖ５ｊ等、５４０行分の奇数行目の画像信号を用いて、奇数画像を形成する。その際に、図５（ｂ）に示す様に、同じ画像信号を隣り合う２本の走査線４６２に接続する画素４８に供給して行く。例えば、５行目の走査線Ｇ５と６行目の走査線Ｇ６とに接続する画素４８にフレーム画像の１行目の画像信号Ｖ１ｊを供給し、７行目の走査線Ｇ７と８行目の走査線Ｇ８とに接続する画素４８にフレーム画像の３行目の画像信号Ｖ３ｊを供給し、以下同様にして、１０８３行目の走査線Ｇ１０８３と１０８４行目の走査線Ｇ１０８４とに接続する画素４８にフレーム画像の１０７９行目の画像信号Ｖ１０７９ｊを供給する。尚、電気光学装置２０の表示領域４２は画像領域と調整領域とを含んでいる。画像領域は実際に画像が表示される領域で、この画像領域の上下に走査線４本分の調整領域が設けられている。画像領域の画素４８には画像信号が供給され、調整領域の画素４８には黒信号Ｂｌａｃｋが供給される。図５（ｂ）では、調整領域は、１行目の走査線Ｇ１から４行目の走査線Ｇ４までの走査線４６２に接続する画素４８と、ｍ−３行目の走査線Ｇｍ−３からｍ行目の走査線Ｇｍまでの走査線４６２に接続する画素４８と、が為す領域であり、画像領域は、５行目の走査線Ｇ５からｍ−４行目の走査線Ｇｍ−４までの走査線４６２に接続する画素４８が為す領域である。
【００４３】
上述のラインペア画像を表示する為の各種の信号を説明するタイミングチャートが図５（ａ）である。電気光学装置２０でラインペア走査を行うと、ラインペア画像を表示でき、駆動装置５０はこれらを可能にする各種の信号を作り出す事ができる。図５（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号が同時にアクティブレベルに設定される。例えば、制御パルスＲ１と制御パルスＲ２とが重複する期間においては、イネイブル１信号ＥＮＢＹ１及びイネイブル２信号ＥＮＢＹ２が同時にアクティブレベルに設定され、制御パルスＲ３と制御パルスＲ４とが重複する期間においては、イネイブル３信号ＥＮＢＹ３及びイネイブル４信号ＥＮＢＹ４が同時にアクティブレベルに設定される。こうして、相隣接する２本の走査線４６２に供給される走査信号が同時にアクティブレベルに設定され、ラインペア走査が実現する。
【００４４】
図６（ａ）は、ずらしラインペア走査を用いてずらしラインペア画像を形成する際のタイミングチャートであり、図６（ｂ）はその際に走査線４６２に接続する画素４８に供給される信号の種類を説明している。
【００４５】
図６（ｂ）は、ずらしラインペア走査を用いて電気光学装置２０に偶数画像を表示する際に、各行毎に信号線４６４に供給される画像信号を表している。ずらしラインペア画像は、ラインペア画像が奇数画像の際には偶数画像であり、ラインペア画像が偶数画像の際には奇数画像であるので、ここでは、ずらしラインペア画像は偶数画像となる。偶数画像とは、元になる１フレーム画像（本実施形態では、縦１０８０画素×横１９２０画素のフルハイビジョン画像）の内から、偶数行の画像信号を用いて形成された画像である。言い換えると、フレーム画像から偶数行で表示されている画像を選び出した画像が、偶数画像である。本実施形態では、フレーム画像の２行目の画像信号Ｖ２ｊや、フレーム画像の４行目の画像信号Ｖ４ｊや、フレーム画像の６行目の画像信号Ｖ６ｊ等、５４０行分の偶数行目の画像信号を用いて、偶数画像を形成する。その際に、図６（ｂ）に示す様に、隣り合う２本の走査線４６２で、先のラインペア走査の際とは組み合わせとなる走査線４６２が１行ずれた走査線４６２に接続する画素４８に、同じ画像信号を供給して行く。例えば、６行目の走査線Ｇ６と７行目の走査線Ｇ７とに接続する画素４８にフレーム画像の２行目の画像信号Ｖ２ｊを供給し、８行目の走査線Ｇ８と９行目の走査線Ｇ９とに接続する画素４８にフレーム画像の４行目の画像信号Ｖ４ｊを供給し、以下同様にして、１０８４行目の走査線Ｇ１０８４と１０８５行目の走査線Ｇ１０８５とに接続する画素４８にフレーム画像の１０８０行目の画像信号Ｖ１０８０ｊを供給する。尚、図６（ｂ）では、調整領域は、１行目の走査線Ｇ１から５行目の走査線Ｇ５までの走査線４６２に接続する画素４８と、ｍ−２行目の走査線Ｇｍ−２からｍ行目の走査線Ｇｍまでの走査線４６２に接続する画素４８と、が為す領域であり、画像領域は、６行目の走査線Ｇ６からｍ−３行目の走査線Ｇｍ−３までの走査線４６２に接続する画素４８が為す領域である。先と同様に、調整領域の画素４８には黒信号Ｂｌａｃｋが供給される。この様に、ずらしラインペア画像（本実施形態では偶数画像）がラインペア画像（本実施形態では奇数画像）に対して走査線１行分だけ下にずれているので、時分割で高精細なフレーム画像を正確に表示する事が可能になる。
【００４６】
上述のずらしラインペア画像を表示する為の各種信号を説明するタイミングチャートが図６（ａ）である。電気光学装置２０でずらしラインペア走査を行うと、ずらしラインペア画像を表示でき、駆動装置５０はこれらを可能にする各種の信号を作り出す事ができる。
【００４７】
制御装置３０は、ラインペア走査時のスタートパルス信号（図５（ａ）のＤＹ）とずらしラインペア走査時のスタートパルス信号（図６（ａ）のＤＹ）とを、ラインペア走査やずらしラインペア走査の水平走査期間の半分の整数倍だけ時間的にずらす事ができる。図５（ａ）の走査線Ｇ１から走査線Ｇｍに供給される信号を見れば分かる様に、ラインペア走査の水平走査期間はクロック信号ＣＬＹの一周期である。従って、水平走査期間の半分とはクロック信号ＣＬＹの半周期であり、制御装置３０はラインペア走査時のスタートパルス信号に対して、ずらしラインペア走査時のスタートパルス信号をクロック信号ＣＬＹの半周期の整数倍だけ前後にずらす事ができる。実際に、ずらしラインペア走査時のスタートパルス信号（図６（ａ）のＤＹ）は、ラインペア走査時のスタートパルス信号（図５（ａ）のＤＹ）に対してクロック信号ＣＬＹの半周期の１倍遅れている。
【００４８】
更に、制御装置３０は、ラインペア走査時のクロック信号（図５（ａ）のＣＬＹ）とずらしラインペア走査時のクロック信号（図６（ａ）のＣＬＹ）とを同一の周期とし、位相を異ならせる事ができる。実際に、ずらしラインペア走査時のクロック信号（図６（ａ）のＣＬＹ）は、ラインペア走査時のクロック信号（図５（ａ）のＣＬＹ）に対して、同一の周期で、位相が１８０°ずれている。この結果、ラインペア走査時のクロック信号（図５（ａ）のＣＬＹ）がアクティブレベル（高電位）にある時に、ずらしラインペア走査時のクロック信号（図６（ａ）のＣＬＹ）は非アクティブレベル（低電位）にあり、ラインペア走査時のクロック信号（図５（ａ）のＣＬＹ）が非アクティブレベル（低電位）にある時に、ずらしラインペア走査時のクロック信号（図６（ａ）のＣＬＹ）はアクティブレベル（高電位）にある。
【００４９】
更に、制御装置３０は、ラインペア走査時のイネイブル信号（図５（ａ）のＥＮＢＹ１やＥＮＢＹ２、ＥＮＢＹ３、ＥＮＢＹ４）とずらしラインペア走査時のイネイブル信号（図６（ａ）のＥＮＢＹ１やＥＮＢＹ２、ＥＮＢＹ３、ＥＮＢＹ４）とを異ならせる事ができる。具体的には、制御装置３０は、順次走査やラインペア走査、ずらしラインペア走査等の走査方法に応じて、イネイブル信号のアクティブになるタイミングを変える事ができる。制御装置３０は、イネイブル１信号ＥＮＢＹ１とイネイブル２信号ＥＮＢＹ２とイネイブル３信号ＥＮＢＹ３とイネイブル４信号ＥＮＢＹ４とで、アクティブレベル（高電位）状態を任意に設定できる。実際に、ラインペア走査時のイネイブル信号（図５（ａ）のＥＮＢＹ１やＥＮＢＹ２、ＥＮＢＹ３、ＥＮＢＹ４）では、イネイブル１信号ＥＮＢＹ１とイネイブル２信号ＥＮＢＹ２とがペアとなり、イネイブル３信号ＥＮＢＹ３とイネイブル４信号ＥＮＢＹ４とがペアとなり、それぞれのペアで同じ信号で有ったが、ずらしラインペア走査時のイネイブル信号（図６（ａ）のＥＮＢＹ１やＥＮＢＹ２、ＥＮＢＹ３、ＥＮＢＹ４）では、イネイブル１信号ＥＮＢＹ１とイネイブル４信号ＥＮＢＹ４とがペアとなり、イネイブル２信号ＥＮＢＹ２とイネイブル３信号ＥＮＢＹ３とがペアとなっている。
【００５０】
こうした制御信号の結果、ラインペア走査とずらしラインペア走査とでは、ペアとなる走査線４６２が一行ずれる。これに加えて、図６（ｂ）に示す画像信号を行に応じて供給する事でずらしラインペア画像が形成される。図５（ａ）や図６（ａ）に示される様に、制御信号は複数の出力パターンを有している。制御装置３０は、表示すべき画像がラインペア画像かずらしラインペア画像かに応じて、複数の出力パターンから最適な出力パターンとなる制御信号を駆動回路４４に供給する。
【００５１】
「表示方法（実施例１−１）」
図７は、フレーム画像とこのフレーム画像を用いて電子機器にて三次元画像を表示する方法を説明する図である。次に、図７を参照して、高精細なフレーム画像の表示方法と、これを応用した三次元画像の表示方法と、を説明する。
【００５２】
図７に示す様に、三次元画像を表示するには、右眼用のフレーム画像ＧＲと左眼用のフレーム画像ＧＬとを交互に表示するが、まず、フレーム画像に関して説明する。
【００５３】
１フレームを構成する画像（１枚のフレーム画像）は、第１の画像と第２の画像と第３の画像と第４の画像とを含んでいる。具体的には、１枚のフレーム画像は２枚のラインペア画像と２枚のずらしラインペア画像とを含んで構成される。本実施形態では、２枚のラインペア画像に引き続いて、２枚のずらしラインペア画像が形成されている。図７では、走査方法の欄にラインペア走査をＬＰと記し、ずらしラインペア走査をＳＬＰと記している。
【００５４】
第１の画像は、第１の走査で第１の走査線と第２の走査線とを選択して、第１の画素と第２の画素に、第１の画素に対応する第１の画像信号を第１の極性で供給し、第１の走査に続く第２の走査で第３の走査線と第４の走査線とを選択して、第３の画素と第４の画素に、第３の画素に対応する第３の画像信号を第１の極性で供給する事で形成される。第１の極性とは後述する正極性か負極性かのいずれかである。
【００５５】
第２の画像は、第３の走査で第１の走査線と第２の走査線とを選択して、第１の画素と第２の画素に、第１の画素に対応する第１の画像信号を第１の極性とは異なる第２の極性で供給し、第３の走査に続く第４の走査で第３の走査線と第４の走査線とを選択して、第３の画素と第４の画素に、第３の画素に対応する第３の画像信号を第２の極性で供給する事で形成される。第２の極性とは、第１の極性が正極性であれば負極性となり、第１の極性が負極性であれば正極性となる。
【００５６】
第３の画像は、第５の走査で第２の走査線と第３の走査線とを選択して、第２の画素と第３の画素に、第２の画素に対応する第２の画像信号を第１の極性で供給し、第５の走査に続く第６の走査で第４の走査線と第５の走査線とを選択して、第４の画素と第５の画素に、第４の画素に対応する画像信号を第１の極性で供給する事で形成される。
【００５７】
第４の画像は、第７の走査で第２の走査線と第３の走査線とを選択して、第２の画素と第３の画素に、第２の画素に対応する第２の画像信号を第２の極性で供給し、第７の走査に続く第８の走査で第４の走査線と第５の走査線とを選択して、第４の画素と第５の画素に、第４の画素に対応する画像信号を第２の極性で供給する事で形成される。
【００５８】
ラインペア画像もずらしラインペア画像も液晶に印加される電界が正極性の画像と負極性の画像とを１枚ずつ含んでいる。液晶に印加される電界が正極性とは、画素電極に画像信号が供給された際に、画素電極の電位が共通電極の電位以上とされた状態をさす。反対に、液晶に印加される電界が負極性とは、画素電極に画像信号が供給された際に、画素電極の電位が共通電極の電位以下とされた状態である。図７では、表示画像や走査方法の欄に正極性の場合には＋の符号を付け、負極性の場合には−の符号を付けてある。結局、２枚のラインペア画像の１枚は正極性にて表示される正極性ラインペア画像ＬＰ＋となり、２枚のラインペア画像の他の１枚は負極性にて表示される負極性ラインペア画像ＬＰ−となり、２枚のずらしラインペア画像の１枚は正極性にて表示される正極性ずらしラインペア画像ＳＬＰ＋となり、２枚のずらしラインペア画像の他の１枚は負極性にて表示される負極性ずらしラインペア画像ＳＬＰ−となる。図７では、１枚のフレーム画像は、正極性ラインペア画像ＬＰ＋に引き続き、負極性ラインペア画像ＬＰ−、正極性ずらしラインペア画像ＳＬＰ＋、負極性ずらしラインペア画像ＳＬＰ−、の順に形成されている。本実施形態では、ラインペア画像が奇数画像で、ずらしラインペア画像が偶数画像であるので、１枚の右眼用のフレーム画像ＧＲは、右眼用の正極性奇数画像ＧＲＯ＋に引き続き、右眼用の負極性奇数画像ＧＲＯ−、右眼用の正極性偶数画像ＧＲＥ＋、右眼用の負極性偶数画像ＧＲＥ−、の順に形成されている。右眼用の正極性奇数画像ＧＲＯ＋と右眼用の負極性奇数画像ＧＲＯ−とで右眼用奇数画像ＧＲＯとなり、右眼用の正極性偶数画像ＧＲＥ＋と右眼用の負極性偶数画像ＧＲＥ−とで、右眼用偶数画像ＧＲＥとなる。同様に、１枚の左眼用のフレーム画像ＧＬは、左眼用の正極性奇数画像ＧＬＯ＋に引き続き、左眼用の負極性奇数画像ＧＬＯ−、左眼用の正極性偶数画像ＧＬＥ＋、左眼用の負極性偶数画像ＧＬＥ−、の順に形成されている。左眼用の正極性奇数画像ＧＬＯ＋と左眼用の負極性奇数画像ＧＬＯ−とで左眼用奇数画像ＧＬＯとなり、左眼用の正極性偶数画像ＧＬＥ＋と左眼用の負極性偶数画像ＧＬＥ−とで、左眼用偶数画像ＧＬＥとなる。
【００５９】
ラインペア画像もずらしラインペア画像も、順次走査で得られる画像（順次画像と称する）の半分の時間（順次画像時間と称する）で形成される。即ち、ラインペア画像もずらしラインペア画像も高速に表示される。これらの２画像を重ねてフレーム画像とするので、順次画像時間の半分の時間で、まず解像度が半分の画像（ラインペア画像）が形成され、次いで、残りの半分の時間で、観察者はフル解像度の画像（ラインペア画像の残像とずらしラインペア画像）を認識する事になる。
【００６０】
上述の表示方法では、ラインペア画像が表示領域４２に表示されている面積に表示されている時間を掛けたラインペア画像の面積時間が、ずらしラインペア画像が表示領域４２に表示されている面積に表示されている時間を掛けたずらしラインペア画像の面積時間に等しくなる。このために、ラインペア画像とずらしラインペア画像とが観察者に及ぼす画像強度が等しくなり、観察者は本来のフレーム画像と同じ画像を感ずる事ができる。
【００６１】
又、上述の表示方法を用いると、２枚のラインペア画像で液晶等の電気光学材料に印加される電界の極性を反転させ、２枚のずらしラインペア画像で液晶等の電気光学材料に印加される電界の極性を反転させると、それぞれ同じ画像にて極性反転が為されるので、ほぼ完璧に極性バランスを取る事ができる。こうして、上述の駆動方法を用いると、高品位の映像を表示すると共に液晶等の電気光学材料の劣化を抑制する事が可能となる。
【００６２】
上述した表示方法は、三次元画像の表示に適応できる。三次元画像を表示するには、図７に示す様に、右眼用のフレーム画像ＧＲと左眼用のフレーム画像ＧＬとを二枚ずつ交互に表示し、これに合わせて右眼用シャッターと左眼用シャッターの開閉を制御する。即ち、立体視画像を表示する為に、制御装置３０の表示制御回路３２は、相互に視差が付与された右眼用のフレーム画像ＧＲと左眼用のフレーム画像ＧＬとを時分割で表示する様に電気光学装置２０を制御する。二枚のフレーム画像を表示する期間を単位期間Ｕと称し、右眼用のフレーム画像ＧＲを表示する期間が右単位期間ＵＲであり、左眼用のフレーム画像ＧＬを表示する期間が左単位期間ＵＬである。右単位期間ＵＲと左単位期間ＵＬとは交互に設定される。
【００６３】
各単位期間は第一フィールド期間１−ｆｉｅｌｄと第二フィールド期間２−ｆｉｅｌｄと第三フィールド期間３−ｆｉｅｌｄと第四フィールド期間４−ｆｉｅｌｄとからなる。正極性ラインペア画像ＬＰ＋は第一フィールド期間１−ｆｉｅｌｄに形成され、負極性ラインペア画像ＬＰ−は第二フィールド期間２−ｆｉｅｌｄに形成され、正極性ずらしラインペア画像ＳＬＰ＋は第三フィールド期間３−ｆｉｅｌｄに形成され、負極性ずらしラインペア画像ＳＬＰ−は第四フィールド期間４−ｆｉｅｌｄに形成されている。右単位期間ＵＲの第一フィールド期間１−ｆｉｅｌｄでは、直前の左単位期間ＵＬの第四フィールド期間４−ｆｉｅｌｄで表示されていた左眼用のフレーム画像ＧＬが右眼用のフレーム画像ＧＲに書き換えられ、左単位期間ＵＬの第一フィールド期間１−ｆｉｅｌｄでは、直前の右単位期間ＵＲの第四フィールド期間４−ｆｉｅｌｄで表示されていた右眼用のフレーム画像ＧＲが左眼用のフレーム画像ＧＬに書き換えられる。
【００６４】
表示制御回路３２は、各フィールド期間に走査方法を選択して、駆動回路４４を適宜制御する。更に、制御装置３０は、眼鏡制御回路３１を介して、右単位期間ＵＲの第二フィールド期間２−ｆｉｅｌｄから第四フィールド期間４−ｆｉｅｌｄ迄の間に右眼用シャッターを開き、それ以外の期間に右眼用シャッターを閉じる。同様に、制御装置３０は、眼鏡制御回路３１を介して、左単位期間ＵＬの第二フィールド期間２−ｆｉｅｌｄから第四フィールド期間４−ｆｉｅｌｄ迄の間に左眼用シャッターを開き、それ以外の期間に左眼用シャッターを閉じる。こうする事で右単位期間ＵＲの３／８の期間で右眼用シャッターを開ける事ができ、又、左単位期間ＵＬの３／８の期間で左眼用シャッターを開ける事できる。従って、三次元表示で、明るい表示を実現する事ができると共に、液晶４８５に対する極性バランスがほぼ完璧に取られるので、液晶４８５の劣化を抑制する事ができる。
【００６５】
「表示方法（他の実施例）」
図８は、表示方法に関する実施例を説明する図である。次に、図８を参照して、表示方法に関する他の実施例を説明する。
【００６６】
上述の実施例１−１では、１枚のフレーム画像は、正極性ラインペア画像ＬＰ＋に引き続き、負極性ラインペア画像ＬＰ−、正極性ずらしラインペア画像ＳＬＰ＋、負極性ずらしラインペア画像ＳＬＰ−、の順に形成されている。本実施形態では、ラインペア画像が奇数画像で、ずらしラインペア画像が偶数画像であるので、図８（ａ）に示す様に、実施例１−１では、１枚のフレーム画像は、正極性奇数画像ＧＯ＋に引き続き、負極性奇数画像ＧＯ−、正極性偶数画像ＧＥ＋、負極性偶数画像ＧＥ−、の順に形成されていた。極性の順番はこれに限られず、以下に示す様な形態が可能である。
【００６７】
（実施例１−２）
実施例１−２では、１枚のフレーム画像は、正極性ラインペア画像ＬＰ＋に引き続き、負極性ラインペア画像ＬＰ−、負極性ずらしラインペア画像ＳＬＰ−、正極性ずらしラインペア画像ＳＬＰ＋、の順に形成されている。本実施形態では、ラインペア画像が奇数画像で、ずらしラインペア画像が偶数画像であるので、図８（ａ）に示す様に、実施例１−２では、１枚のフレーム画像は、正極性奇数画像ＧＯ＋に引き続き、負極性奇数画像ＧＯ−、負極性偶数画像ＧＥ−、正極性偶数画像ＧＥ＋、の順に形成される。
【００６８】
（実施例１−３）
実施例１−３では、１枚のフレーム画像は、負極性ラインペア画像ＬＰ−に引き続き、正極性ラインペア画像ＬＰ＋、負極性ずらしラインペア画像ＳＬＰ−、正極性ずらしラインペア画像ＳＬＰ＋、の順に形成されている。本実施形態では、ラインペア画像が奇数画像で、ずらしラインペア画像が偶数画像であるので、図８（ａ）に示す様に、実施例１−３では、１枚のフレーム画像は、負極性奇数画像ＧＯ−に引き続き、正極性奇数画像ＧＯ＋、負極性偶数画像ＧＥ−、正極性偶数画像ＧＥ＋、の順に形成される。
【００６９】
（実施例１−４）
実施例１−４では、１枚のフレーム画像は、負極性ラインペア画像ＬＰ−に引き続き、正極性ラインペア画像ＬＰ＋、正極性ずらしラインペア画像ＳＬＰ＋、負極性ずらしラインペア画像ＳＬＰ−、の順に形成されている。本実施形態では、ラインペア画像が奇数画像で、ずらしラインペア画像が偶数画像であるので、図８（ａ）に示す様に、実施例１−４では、１枚のフレーム画像は、負極性奇数画像ＧＯ−に引き続き、正極性奇数画像ＧＯ＋、正極性偶数画像ＧＥ＋、負極性偶数画像ＧＥ−、の順に形成される。
【００７０】
実施例１−１から実施例１−４では２枚のラインペア画像に引き続いて２枚のずらしラインペア画像が形成されていたが、ラインペア画像とずらしラインペア画像とを交互に形成しても良い。以下にこれらの例を示す。
【００７１】
（実施例１−５）
実施例１−５では、１枚のフレーム画像は、正極性ラインペア画像ＬＰ＋に引き続き、負極性ずらしラインペア画像ＳＬＰ−、負極性ラインペア画像ＬＰ−、正極性ずらしラインペア画像ＳＬＰ＋、の順に形成されている。本実施形態では、ラインペア画像が奇数画像で、ずらしラインペア画像が偶数画像であるので、図８（ｂ）に示す様に、実施例１−５では、１枚のフレーム画像は、正極性奇数画像ＧＯ＋に引き続き、負極性偶数画像ＧＥ−、負極性奇数画像ＧＯ−、正極性偶数画像ＧＥ＋、の順に形成される。
【００７２】
（実施例１−６）
実施例１−６では、１枚のフレーム画像は、負極性ラインペア画像ＬＰ−に引き続き、正極性ずらしラインペア画像ＳＬＰ＋、正極性ラインペア画像ＬＰ＋、負極性ずらしラインペア画像ＳＬＰ−、の順に形成されている。本実施形態では、ラインペア画像が奇数画像で、ずらしラインペア画像が偶数画像であるので、図８（ｂ）に示す様に、実施例１−６では、１枚のフレーム画像は、負極性奇数画像ＧＯ−に引き続き、正極性偶数画像ＧＥ＋、正極性奇数画像ＧＯ＋、負極性偶数画像ＧＥ−、の順に形成される。
【００７３】
（実施例１−７）
実施例１−７では、１枚のフレーム画像は、正極性ラインペア画像ＬＰ＋に引き続き、正極性ずらしラインペア画像ＳＬＰ＋、負極性ラインペア画像ＬＰ−、負極性ずらしラインペア画像ＳＬＰ−、の順に形成されている。本実施形態では、ラインペア画像が奇数画像で、ずらしラインペア画像が偶数画像であるので、図８（ｂ）に示す様に、実施例１−７では、１枚のフレーム画像は、正極性奇数画像ＧＯ＋に引き続き、正極性偶数画像ＧＥ＋、負極性奇数画像ＧＯ−、負極性偶数画像ＧＥ−、の順に形成される。
【００７４】
（実施例１−８）
実施例１−８では、１枚のフレーム画像は、負極性ラインペア画像ＬＰ−に引き続き、負極性ずらしラインペア画像ＳＬＰ−、正極性ラインペア画像ＬＰ＋、正極性ずらしラインペア画像ＳＬＰ＋、の順に形成されている。本実施形態では、ラインペア画像が奇数画像で、ずらしラインペア画像が偶数画像であるので、図８（ｂ）に示す様に、実施例１−８では、１枚のフレーム画像は、負極性奇数画像ＧＯ−に引き続き、負極性偶数画像ＧＥ−、正極性奇数画像ＧＯ＋、正極性偶数画像ＧＥ＋、の順に形成される。
【００７５】
「他の電子機器」
電気光学装置２０は上述の駆動方法で駆動されるが、この電気光学装置２０を組み込んだ電子機器としては、図１を参照して説明したプロジェクターの他にも、リアプロジェクション型テレビ、直視型テレビ、携帯電話、携帯用オーディオ機器、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチルカメラなどを挙げる事ができる。
【００７６】
（実施形態２）
「奇数画像と偶数画像との入れ替え」
図９は、ラインペア画像として偶数画像を採用した際に、走査線に接続する画素に供給される信号の種類を説明する図である。又、図１０は、ずらしラインペア画像として奇数画像を採用した際に、走査線に接続する画素に供給される信号の種類を説明する図である。次に、図９と１０とを参照して、ラインペア画像を偶数画像とし、ずらしラインペア画像を奇数画像とする方法を説明する。尚、実施形態１と同一の構成部位については、同一の符号を附し、重複する説明は省略する。
【００７７】
本実施形態は実施形態１と比べてラインペア画像とずらしラインペア画像とに対して、奇数画像と偶数画像とを入れ替えた点が異なっている。それ以外の構成は、実施形態１とほぼ同様である。実施形態１（図５、図６）では、ラインペア画像を奇数画像とし、ずらしラインペア画像を偶数画像とていた。これに対し、本実施形態（図９、図１０）では、ラインペア画像を偶数画像とし、ずらしラインペア画像を奇数画像とする。実施形態１と同様に、一枚のフレーム画像は正極性ラインペア画像ＬＰ＋と、負極性ラインペア画像ＬＰ−、正極性ずらしラインペア画像ＳＬＰ＋、負極性ずらしラインペア画像ＳＬＰ−、とを少なくとも含んで形成される。
【００７８】
図９は、ラインペア走査を用いて電気光学装置２０に偶数画像を表示する際に、各行毎に信号線４６４に供給される画像信号を表している。ラインペア画像は偶数画像である。ラインペア画像を偶数画像とするには、図９に示す様に、同じ画像信号を隣り合う２本の走査線４６２に接続する画素４８に供給して行く。例えば、５行目の走査線Ｇ５と６行目の走査線Ｇ６とに接続する画素４８にフレーム画像の２行目の画像信号Ｖ２ｊを供給し、７行目の走査線Ｇ７と８行目の走査線Ｇ８とに接続する画素４８にフレーム画像の４行目の画像信号Ｖ４ｊを供給し、以下同様にして、１０８３行目の走査線Ｇ１０８３と１０８４行目の走査線Ｇ１０８４とに接続する画素４８にフレーム画像の１０８０行目の画像信号Ｖ１０８０ｊを供給する。画像領域の上下には走査線４本分の調整領域が設けられており、調整領域の画素４８には、黒信号Ｂｌａｃｋが供給されている。ラインペア走査を用いてラインペア画像を形成する際のタイミングチャートは、実施形態１の図５（ａ）と同じである。
【００７９】
図１０は、ずらしラインペア走査を用いて電気光学装置２０に奇数画像を表示する際に、各行毎に信号線４６４に供給される画像信号を表している。本実施形態では、ずらしラインペア画像は奇数画像となる。ずらしラインペア画像を奇数画像とするには、図１０に示す様に、隣り合う２本の走査線４６２で、先のラインペア走査の際とは組み合わせとなる走査線４６２が１行ずれた走査線４６２に接続する画素４８に、同じ画像信号を供給して行く。例えば、４行目の走査線Ｇ４と５行目の走査線Ｇ５とに接続する画素４８にフレーム画像の１行目の画像信号Ｖ１ｊを供給し、６行目の走査線Ｇ６と７行目の走査線Ｇ７とに接続する画素４８にフレーム画像の３行目の画像信号Ｖ３ｊを供給し、以下同様にして、１０８２行目の走査線Ｇ１０８２と１０８３行目の走査線Ｇ１０８３とに接続する画素４８にフレーム画像の１０７９行目の画像信号Ｖ１０７９ｊを供給する。尚、図１０では、調整領域は、１行目の走査線Ｇ１から３行目の走査線Ｇ３までの走査線４６２に接続する画素４８と、ｍ−４行目の走査線Ｇｍ−４からｍ行目の走査線Ｇｍまでの走査線４６２に接続する画素４８と、が為す領域であり、画像領域は、４行目の走査線Ｇ４からｍ−５行目の走査線Ｇｍ−５までの走査線４６２に接続する画素４８が為す領域である。先と同様に、調整領域の画素４８には黒信号Ｂｌａｃｋが供給される。この様に、ずらしラインペア画像（本実施形態では奇数画像）がラインペア画像（本実施形態では偶数画像）に対して走査線１行分だけ上にずれているので、時分割で高精細なフレーム画像を正確に表示する事が可能になる。ずらしラインペア走査を用いてずらしラインペア画像を形成する際のタイミングチャートは、実施形態１の図６（ａ）と同じである。
【００８０】
「表示方法（実施例）」
図１１は、表示方法に関する実施例を説明する図である。次に、図１１を参照して、表示方法に関する実施例を説明する。
【００８１】
（実施例２−１）
実施例２−１では、１枚のフレーム画像は、正極性ラインペア画像ＬＰ＋に引き続き、負極性ラインペア画像ＬＰ−、正極性ずらしラインペア画像ＳＬＰ＋、負極性ずらしラインペア画像ＳＬＰ−、の順に形成されている。本実施形態では、ラインペア画像が偶数画像で、ずらしラインペア画像が奇数画像であるので、図１１（ａ）に示す様に、実施例２−１では、１枚のフレーム画像は、正極性偶数画像ＧＥ＋に引き続き、負極性偶数画像ＧＥ−、正極性奇数画像ＧＯ＋、負極性奇数画像ＧＯ−、の順に形成される。
【００８２】
（実施例２−２）
実施例２−２では、１枚のフレーム画像は、正極性ラインペア画像ＬＰ＋に引き続き、負極性ラインペア画像ＬＰ−、負極性ずらしラインペア画像ＳＬＰ−、正極性ずらしラインペア画像ＳＬＰ＋、の順に形成されている。本実施形態では、ラインペア画像が偶数画像で、ずらしラインペア画像が奇数画像であるので、図１１（ａ）に示す様に、実施例２−２では、１枚のフレーム画像は、正極性偶数画像ＧＥ＋に引き続き、負極性偶数画像ＧＥ−、負極性奇数画像ＧＯ−、正極性奇数画像ＧＯ＋、の順に形成される。
【００８３】
（実施例２−３）
実施例２−３では、１枚のフレーム画像は、負極性ラインペア画像ＬＰ−に引き続き、正極性ラインペア画像ＬＰ＋、負極性ずらしラインペア画像ＳＬＰ−、正極性ずらしラインペア画像ＳＬＰ＋、の順に形成されている。本実施形態では、ラインペア画像が偶数画像で、ずらしラインペア画像が奇数画像であるので、図１１（ａ）に示す様に、実施例２−３では、１枚のフレーム画像は、負極性偶数画像ＧＥ−に引き続き、正極性偶数画像ＧＥ＋、負極性奇数画像ＧＯ−、正極性奇数画像ＧＯ＋、の順に形成される。
【００８４】
（実施例２−４）
実施例２−４では、１枚のフレーム画像は、負極性ラインペア画像ＬＰ−に引き続き、正極性ラインペア画像ＬＰ＋、正極性ずらしラインペア画像ＳＬＰ＋、負極性ずらしラインペア画像ＳＬＰ−、の順に形成されている。本実施形態では、ラインペア画像が偶数画像で、ずらしラインペア画像が奇数画像であるので、図１１（ａ）に示す様に、実施例２−４では、１枚のフレーム画像は、負極性偶数画像ＧＥ−に引き続き、正極性偶数画像ＧＥ＋、正極性奇数画像ＧＯ＋、負極性奇数画像ＧＯ−、の順に形成される。
【００８５】
実施例２−１から実施例２−４では２枚のラインペア画像に引き続いて２枚のずらしラインペア画像が形成されていたが、ラインペア画像とずらしラインペア画像とを交互に形成しても良い。以下にこれらの例を示す。
【００８６】
（実施例２−５）
実施例２−５では、１枚のフレーム画像は、正極性ラインペア画像ＬＰ＋に引き続き、負極性ずらしラインペア画像ＳＬＰ−、負極性ラインペア画像ＬＰ−、正極性ずらしラインペア画像ＳＬＰ＋、の順に形成されている。本実施形態では、ラインペア画像が偶数画像で、ずらしラインペア画像が奇数画像であるので、図１１（ｂ）に示す様に、実施例２−５では、１枚のフレーム画像は、正極性偶数画像ＧＥ＋に引き続き、負極性奇数画像ＧＯ−、負極性偶数画像ＧＥ−、正極性奇数画像ＧＯ＋、の順に形成される。
【００８７】
（実施例２−６）
実施例２−６では、１枚のフレーム画像は、負極性ラインペア画像ＬＰ−に引き続き、正極性ずらしラインペア画像ＳＬＰ＋、正極性ラインペア画像ＬＰ＋、負極性ずらしラインペア画像ＳＬＰ−、の順に形成されている。本実施形態では、ラインペア画像が偶数画像で、ずらしラインペア画像が奇数画像であるので、図１１（ｂ）に示す様に、実施例２−６では、１枚のフレーム画像は、負極性偶数画像ＧＥ−に引き続き、正極性奇数画像ＧＯ＋、正極性偶数画像ＧＥ＋、負極性奇数画像ＧＯ−、の順に形成される。
【００８８】
（実施例２−７）
実施例２−７では、１枚のフレーム画像は、正極性ラインペア画像ＬＰ＋に引き続き、正極性ずらしラインペア画像ＳＬＰ＋、負極性ラインペア画像ＬＰ−、負極性ずらしラインペア画像ＳＬＰ−、の順に形成されている。本実施形態では、ラインペア画像が偶数画像で、ずらしラインペア画像が奇数画像であるので、図１１（ｂ）に示す様に、実施例２−７では、１枚のフレーム画像は、正極性偶数画像ＧＥ＋に引き続き、正極性奇数画像ＧＯ＋、負極性偶数画像ＧＥ−、負極性奇数画像ＧＯ−、の順に形成される。
【００８９】
（実施例２−８）
実施例２−８では、１枚のフレーム画像は、負極性ラインペア画像ＬＰ−に引き続き、負極性ずらしラインペア画像ＳＬＰ−、正極性ラインペア画像ＬＰ＋、正極性ずらしラインペア画像ＳＬＰ＋、の順に形成されている。本実施形態では、ラインペア画像が偶数画像で、ずらしラインペア画像が奇数画像であるので、図１１（ｂ）に示す様に、実施例２−８では、１枚のフレーム画像は、負極性偶数画像ＧＥ−に引き続き、負極性奇数画像ＧＯ−、正極性偶数画像ＧＥ＋、正極性奇数画像ＧＯ＋、の順に形成される。
【００９０】
尚、本発明は上述した実施形態に限定されず、上述した実施形態に種々の変更や改良などを加えることが可能である。
【符号の説明】
【００９１】
１０…立体視用眼鏡、１２…右眼用シャッター、１４…左眼用シャッター、２０…電気光学装置、３０…制御装置、３１…眼鏡制御回路、３２…表示制御回路、３３…記憶回路、４２…表示領域、４４…駆動回路、４８…画素、５０…駆動装置、１００…信号生成回路、１１０…シフトレジスター、１２０…第一ＡＮＤ回路、１３０…第二ＡＮＤ回路、２０１…第一パネル、２０２…第二パネル、２０３…第三パネル、４４１…走査線駆動回路、４４３…信号線駆動回路、４６２…走査線、４６４…信号線、４８１…画素電極、４８３…共通電極、４８５…液晶、４８７…選択スイッチ、１０００…投射型表示装置、１１００…照明光学系、１３００…投射光学系、１４００…投射面。
【図１】
2014092603.tif 000003
【図２】
2014092603.tif 000004
【図３】
2014092603.tif 000005
【図４】
2014092603.tif 000006
【図５】
2014092603.tif 000007
【図６】
2014092603.tif 000008
【図７】
2014092603.tif 000009
【図８】
2014092603.tif 000010
【図９】
2014092603.tif 000011
【図１０】
2014092603.tif 000012
【図１１】
2014092603.tif 000013